(57)【要約】【課題】  通気口を有する樹脂カバーに防水用の撥水フィルタを取り付けてなる撥水フィルタの取付構造において、撥水フィルタを熱溶着および超音波溶着のどちらでも溶着可能とし、かつ、部品点数の少ない構造を実現する。【解決手段】  通気口５１を有する樹脂カバー５０に撥水フィルタ７０を取り付けてなる撥水フィルタの取付構造において、樹脂カバー５０の内側には、通気口５１と連通する内側開口部５２が設けられ、撥水フィルタ７０は、内側開口部５２を覆うように、樹脂カバー５０の内側から樹脂カバー５０に対向して配置されており、撥水フィルタ７０における樹脂カバー５０との対向面７１のうち外周部のみに不織布８０が取り付けられ、撥水フィルタ７０の外周部と樹脂カバー５０の内側開口部５２における開口縁部５２ａとが不織布８０を介して溶着されている。【選択図】        図１
2006196596.tif 000002
【特許請求の範囲】
【請求項１】
内側と外側とを連通する通気口（５１）を有する樹脂カバー（５０）に撥水フィルタ（７０）を取り付け、前記通気口（５１）からの前記樹脂カバー（５０）の内側への水の浸入を前記撥水フィルタ（７０）によって防止するようにした撥水フィルタの取付構造において、
前記樹脂カバー（５０）の内側には、前記通気口（５１）と連通する内側開口部（５２）が設けられており、
前記撥水フィルタ（７０）は、前記内側開口部（５２）を覆うように、前記樹脂カバー（５０）の内側から前記樹脂カバー（５０）に対向して配置されており、
前記撥水フィルタ（７０）における前記樹脂カバー（５０）との対向面（７１）のうち外周部のみに不織布（８０）が取り付けられており、
前記撥水フィルタ（７０）の外周部と前記樹脂カバー（５０）の前記内側開口部（５２）における開口縁部（５２ａ）とが前記不織布（８０）を介して溶着されていることを特徴とする撥水フィルタの取付構造。
【請求項２】
前記樹脂カバー（５０）の外側の部位には、前記内側開口部（５２）を覆うように、ひさし（５３）が設けられており、
前記ひさし（５３）とそれに対向する前記樹脂カバー（５０）の外面との隙間が前記通気口（５１）として構成されていることを特徴とする請求項１に記載の撥水フィルタの取付構造。
【請求項３】
前記樹脂カバー（５０）の前記通気口（５１）が天地方向における地方向へ向いた状態となっていることを特徴とする請求項１または２に記載の撥水フィルタの取付構造。
【請求項４】
前記不織布（８０）は、前記撥水フィルタ（７０）における前記樹脂カバー（５０）との対向面（７１）の外周部において、連続した環状に配置されていることを特徴とする請求項１ないし３のいずれか１つに記載の撥水フィルタの取付構造。
【請求項５】
前記樹脂カバー（５０）は、被水が起こる環境にて使用されるものであることを特徴とする請求項１ないし４のいずれか１つに記載の撥水フィルタの取付構造。
【請求項６】
電子部品（２０）が収納されたケース（１０）と、
前記ケース（１０）を封止するように設けられた樹脂カバー（５０）と、
前記樹脂カバー（５０）に設けられ前記ケース（１０）の内側と外側とを連通する通気口（５１）と、
前記樹脂カバー（５０）に取り付けられ前記通気口（５１）からの前記ケース（１０）への水の浸入を防止するための撥水フィルタ（７０）とを備える電子装置において、
前記樹脂カバー（５０）の内側には、前記通気口（５１）と連通する内側開口部（５２）が設けられており、
前記撥水フィルタ（７０）は、前記内側開口部（５２）を覆うように、前記樹脂カバー（５０）の内側から前記樹脂カバー（５０）に対向して配置されており、
前記撥水フィルタ（７０）における前記樹脂カバー（５０）との対向面（７１）のうち外周部のみに不織布（８０）が取り付けられており、
前記撥水フィルタ（７０）の外周部と前記樹脂カバー（５０）の前記内側開口部（５２）における開口縁部（５２ａ）とが前記不織布（８０）を介して溶着されていることを特徴とする電子装置。
【請求項７】
前記樹脂カバー（５０）の外側の部位には、前記内側開口部（５２）を覆うように設けられたひさし（５３）が設けられており、
前記ひさし（５３）とそれに対向する前記樹脂カバー（５０）の外面との隙間が前記通気口（５１）として構成されていることを特徴とする請求項６に記載の電子装置。
【請求項８】
前記樹脂カバー（５０）の前記通気口（５１）が天地方向における地方向へ向いた状態で使用されるものであることを特徴とする請求項６または７に記載の電子装置。
【請求項９】
前記不織布（８０）は、前記撥水フィルタ（７０）における前記樹脂カバー（５０）との対向面（７１）の外周部において、連続した環状に配置されていることを特徴とする請求項６ないし８のいずれか１つに記載の電子装置。
【請求項１０】
被水が起こる環境にて使用されるものであることを特徴とする請求項６ないし９のいずれか１つに記載の電子装置。
【発明の詳細な説明】
【技術分野】
【０００１】
本発明は、樹脂カバーの内外を連通する通気口に撥水（はっ水）フィルタを取り付けてなる撥水フィルタの取付構造、および、そのような撥水フィルタが取り付けられた樹脂カバーによって電子部品を収納するケースを封止してなる撥水フィルタを備えた電子装置に関する。
【背景技術】
【０００２】
従来より、この種の撥水フィルタの取付構造としては、内側と外側とを連通する通気口を有する樹脂カバーに撥水フィルタを取り付け、当該通気口からの樹脂カバーへの水の浸入を撥水フィルタによって防止するようにしたものが一般的である。
【０００３】
このような取付構造において、樹脂カバーに通気口を設けている理由は、樹脂カバーの内部の環境が、高温多湿等の悪環境にならないようにするために、樹脂カバーの内側と外側とで空気を流通させる必要があることによる。
【０００４】
そして、樹脂カバーの通気口に撥水フィルタを介在させることで、樹脂カバーの内部への水の浸入防止を図っている。ここで、撥水フィルタは、空気は通すが水は通さないようになっているものである。
【０００５】
そして、このような撥水フィルタが取り付けられた樹脂カバーを用いた電子装置においては、電子部品が収納されたケースを封止するように、当該樹脂カバーを当該ケースに対して設け、それによって、樹脂カバーの通気口からのケースへの水の浸入を、撥水フィルタによって防止するようにしている。
【０００６】
図３は、従来の一般的な撥水フィルタの取付構造を示す概略断面図である。図３に示されるように、樹脂カバー５０には、当該樹脂カバー５０の内側と外側とを連通する通気口５１が設けられている。
【０００７】
そして、撥水フィルタ７０は、この通気口５１を覆うように樹脂カバー５０の外側から、熱溶着あるいは超音波溶着により溶着され接合されている。
【０００８】
ここにおいて、撥水フィルタ７０の裏面、すなわち溶着が行われる溶着面の全体には、不織布８０が貼り付けられており、撥水フィルタ７０は、この不織布８０を介して樹脂カバー５０の外側から溶着されている。
【０００９】
このように不織布８０を介して撥水フィルタ７０と樹脂カバー５０とを溶着するのは、撥水フィルタ７０の溶着による接合強度を向上させるためである。不織布８０を介て溶着した場合には、溶着した樹脂が不織布８０に溶け込むことにより、撥水フィルタ７０の接合強度が十分に確保される。
【００１０】
ここで、不織布は周知のものであり、たとえば、非特許文献１に記載されているように、「短繊維またはフィラメントを機械的、熱的、化学的な手段を用いて接着または交絡させて作るシート状またはウェブ構造のもので、繊維集合体から糸の段階を経ず直接布状とする」ものである。
【００１１】
また、この場合、撥水フィルタ７０の表面、すなわち溶着面である裏面とは反対側の面が外部に向いているが、この撥水フィルタ７０の表面が、泥水などの被水によって目詰まりしたりすることを防止する必要がある。
【００１２】
そのために、従来においては、図３に示されるように、さらに、この樹脂カバー５０にキャップ２００を取り付け、このキャップ２００によって、撥水フィルタ７０を保護している。なお、キャップ２００は、樹脂カバー５０の内部を気密に封止するものではなく、空気の流通を確保すべく樹脂カバー５０との間に隙間を形成するように、取り付けられている。
【００１３】
しかしながら、このように、さらに別部材としてのキャップ２００を設けることは、コストの増大を招く。そのため、このようなキャップ２００を省略し、部品点数の少ない構造を実現することが要望されている。
【００１４】
一方、従来より、少ない部品点数で防水構造を形成する目的で、撥水フィルタの位置決め用の突起部を超音波溶着にて溶かすことにより、撥水フィルタと樹脂カバーとを固定する方法が提案されている（たとえば、特許文献１参照）。
【特許文献１】特開平１１−１１１３８１号公報
【非特許文献１】高橋清  外３名監修、「工業材料大辞典」、初版、株式会社工業調査会、１９９７年１１月２０日、Ｐ１１４９
【発明の開示】
【発明が解決しようとする課題】
【００１５】
しかしながら、上記特許文献１に記載されている方法では、撥水フィルタと樹脂カバーとの固定を、超音波溶着によって溶着することで実現できるものの、熱溶着による固定を適用することができない。
【００１６】
そのため、撥水フィルタを樹脂カバーに取り付けてなる取付構造を製造するにあたって、製造可能な製造ラインが限られたり、あるいは、新たな製造設備の投資が必要になるなど、製造上の制約が多くなる。
【００１７】
本発明は、上記問題に鑑みてなされたものであり、通気口を有する樹脂カバーに防水用の撥水フィルタを取り付けてなる撥水フィルタの取付構造において、撥水フィルタを熱溶着および超音波溶着のどちらでも溶着可能とし、かつ、部品点数の少ない構造を実現することを目的とする。
【００１８】
また、本発明のもう一つの目的は、撥水フィルタが取り付けられた樹脂カバーによって電子部品を収納するケースを封止してなる撥水フィルタを備えた電子装置において、撥水フィルタを熱溶着および超音波溶着のどちらでも溶着可能とし、かつ、部品点数の少ない構造を実現することにある。
【課題を解決するための手段】
【００１９】
上記目的を達成するため、請求項１に記載の発明では、内側と外側とを連通する通気口（５１）を有する樹脂カバー（５０）に撥水フィルタ（７０）を取り付け、通気口（５１）からの樹脂カバー（５０）の内側への水の浸入を撥水フィルタ（７０）によって防止するようにした撥水フィルタの取付構造において、次のような点を特徴とする取付構造が提供される。
【００２０】
・樹脂カバー（５０）の内側には、通気口（５１）と連通する内側開口部（５２）が設けられており、撥水フィルタ（７０）は、内側開口部（５２）を覆うように、樹脂カバー（５０）の内側から樹脂カバー（５０）に対向して配置されていること。
【００２１】
・撥水フィルタ（７０）における樹脂カバー（５０）との対向面（７１）のうち外周部のみに不織布（８０）が取り付けられており、撥水フィルタ（７０）の外周部と樹脂カバー（５０）の内側開口部（５２）における開口縁部（５２ａ）とが不織布（８０）を介して溶着されていること。本発明の取付構造は、これらの点を特徴としている。
【００２２】
それによれば、撥水フィルタ（７０）における樹脂カバー（５０）との対向面（７１）すなわち溶着面（７１）の外周部のみに不職布（８０）を取り付けているから、撥水フィルタ（７０）の通気性が増すとともにフィルタサイズを小さくすることができ、また、撥水フィルタ（７０）の溶着面（７１）も撥水性を有するものとなるため、設計の自由度が増す。
【００２３】
また、撥水フィルタ（７０）と樹脂カバー（５０）とを不職布（８０）を介して溶着するようにしているから、熱溶着、および、超音波溶着のどちらによっても信頼性の高い接続を行うことができる。
【００２４】
また、撥水フィルタ（７０）を樹脂カバー（５０）の内側から取り付けているため、撥水フィルタ（７０）における樹脂カバー（５０）との対向面（７１）を、樹脂カバー（５０）にて覆う構造とすることができ、撥水フィルタ（７０）の目詰まりを防止できる。つまり、従来のようなキャップを不要にすることができる。
【００２５】
よって、本発明によれば、通気口（５１）を有する樹脂カバー（５０）に防水用の撥水フィルタ（７０）を取り付けてなる撥水フィルタの取付構造において、撥水フィルタ（７０）を熱溶着および超音波溶着のどちらでも溶着可能とし、かつ、部品点数の少ない構造を実現することができる。
【００２６】
また、請求項２に記載の発明では、請求項１に記載の撥水フィルタの取付構造において、樹脂カバー（５０）の外側の部位には、内側開口部（５２）を覆うように、ひさし（５３）が設けられており、ひさし（５３）とそれに対向する樹脂カバー（５０）の外面との隙間が通気口（５１）として構成されていることを特徴としている。
【００２７】
それによれば、撥水フィルタ（７０）における樹脂カバー（５０）との対向面（７１）を樹脂カバー（５０）にて覆う構造として、本発明のような具体的な構造を提供することができる。
【００２８】
また、請求項３に記載の発明では、請求項１または請求項２に記載の撥水フィルタの取付構造において、樹脂カバー（５０）の通気口（５１）が天地方向における地方向へ向いた状態となっていることを特徴としている。
【００２９】
それによれば、水が重力に逆らって樹脂カバー（５０）の通気口（５１）から浸入しにくくなるため、撥水フィルタ（７０）が被水しにくいものとすることができ、また、通気口（５１）に浸入した水も通気口（５１）から抜けやすくでき、好ましい。
【００３０】
さらに、請求項４に記載の発明のように、請求項１〜請求項３に記載の撥水フィルタの取付構造においては、不織布（８０）は、撥水フィルタ（７０）における樹脂カバー（５０）との対向面（７１）の外周部において、連続した環状に配置されたものにすることが好ましい。
【００３１】
また、請求項５に記載の発明のように、請求項１〜請求項４に記載の撥水フィルタの取付構造において、樹脂カバー（５０）は、被水が起こる環境にて使用されるものであれば、上記した請求項１〜請求項４の発明の効果が有効に発揮される。
【００３２】
請求項６に記載の発明では、電子部品（２０）が収納されたケース（１０）と、ケース（１０）を封止するように設けられた樹脂カバー（５０）と、樹脂カバー（５０）に設けられケース（１０）の内側と外側とを連通する通気口（５１）と、樹脂カバー（５０）に取り付けられ通気口（５１）からのケース（１０）への水の浸入を防止するための撥水フィルタ（７０）とを備える電子装置において、次のような点を特徴とする電子装置が提供される。
【００３３】
・樹脂カバー（５０）の内側には、通気口（５１）と連通する内側開口部（５２）が設けられており、撥水フィルタ（７０）は、内側開口部（５２）を覆うように、樹脂カバー（５０）の内側から前記樹脂カバー（５０）に対向して配置されていること。
【００３４】
・撥水フィルタ（７０）における樹脂カバー（５０）との対向面（７１）のうち外周部のみに不織布（８０）が取り付けられており、撥水フィルタ（７０）の外周部と樹脂カバー（５０）の内側開口部（５２）における開口縁部（５２ａ）とが不織布（８０）を介して溶着されていること。本発明の電子装置は、これらの点を特徴としている。
【００３５】
それによれば、撥水フィルタ（７０）における樹脂カバー（５０）との対向面（７１）すなわち溶着面（７１）の外周部のみに不職布（８０）を取り付けているから、撥水フィルタ（７０）の通気性が増すとともにフィルタサイズを小さくすることができ、また、撥水フィルタ（７０）の溶着面（７１）も撥水性を有するものとなるため、設計の自由度が増す。
【００３６】
また、撥水フィルタ（７０）と樹脂カバー（５０）とを不職布（８０）を介して溶着するようにしているから、熱溶着、および、超音波溶着のどちらによっても信頼性の高い接続を行うことができる。
【００３７】
また、撥水フィルタ（７０）を樹脂カバー（５０）の内側から取り付けているため、撥水フィルタ（７０）における樹脂カバー（５０）との対向面（７１）を、樹脂カバー（５０）にて覆う構造とすることができ、撥水フィルタ（７０）の目詰まりを防止できる。つまり、従来のようなキャップを不要にすることができる。
【００３８】
よって、本発明によれば、撥水フィルタ（７０）が取り付けられた樹脂カバー（５０）によって電子部品（２０）を収納するケース（１０）を封止してなる撥水フィルタを備えた電子装置において、撥水フィルタ（７０）を熱溶着および超音波溶着のどちらでも溶着可能とし、かつ、部品点数の少ない構造を実現することができる。
【００３９】
また、請求項７に記載の発明では、請求項６に記載の電子装置において、樹脂カバー（５０）の外側の部位には、内側開口部（５２）を覆うように設けられたひさし（５３）が設けられており、ひさし（５３）とそれに対向する樹脂カバー（５０）の外面との隙間が通気口（５１）として構成されていることを特徴としている。
【００４０】
それによれば、上記請求項２に記載の発明と同様に、撥水フィルタ（７０）における樹脂カバー（５０）との対向面（７１）を樹脂カバー（５０）にて覆う構造として、本発明のような具体的な構造を提供することができる。
【００４１】
また、請求項８に記載の発明では、請求項６または請求項７に記載の電子装置において、樹脂カバー（５０）の通気口（５１）が天地方向における地方向へ向いた状態で使用されるものであることを特徴としている。
【００４２】
それによれば、上記請求項３に記載の発明と同様の理由から、撥水フィルタ（７０）が被水しにくいものとすることができ、また、通気口（５１）に浸入した水も通気口（５１）から抜けやすくでき、好ましい。
【００４３】
さらに、請求項９に記載の発明のように、請求項６〜請求項８に記載の電子装置においては、不織布（８０）は、撥水フィルタ（７０）における樹脂カバー（５０）との対向面（７１）の外周部において、連続した環状に配置されたものにすることが好ましい。
【００４４】
また、請求項１０に記載の発明のように、請求項６〜請求項９に記載の電子装置を、被水が起こる環境にて使用されるものとすれば、上記した請求項６〜請求項９の発明の効果が有効に発揮される。
【００４５】
なお、上記各手段の括弧内の符号は、後述する実施形態に記載の具体的手段との対応関係を示す一例である。
【発明を実施するための最良の形態】
【００４６】
以下、本発明の実施形態について図に基づいて説明する。なお、以下の各図相互において、互いに同一もしくは均等である部分には、説明の簡略化を図るべく、図中、同一符号を付してある。
【００４７】
図１は、本発明の実施形態に係る撥水フィルタを備えた電子装置１００の概略断面構成を示す図である。また、図１においては、電子装置１００における樹脂カバー５０に撥水フィルタ７０が取り付けられてなる撥水フィルタの取付構造の概略断面構成が示されている。
【００４８】
また、図２は、図１における樹脂カバー５０の一部を左方から視たときの概略平面図である。この電子装置１００は、たとえば、自動車のエンジンルームなどの温度変化が大きく且つ被水が起こる環境にて搭載され、使用されるものである。
【００４９】
図１に示されるように、本実施形態の電子装置１００においては、ケース１０の内部には、電子部品２０が収納されている。また、ケース１０の一側の開口部には、放熱フィン３０が接着剤などを介して固定されており、それによって、ケース１０の一側の開口部は放熱フィン３０により覆われている。
【００５０】
ここでは、放熱フィン３０に配線基板４０が接着剤などを介して固定されており、電子部品２０は、この配線基板４０に実装されたものとなっている。限定するものではないが、たとえば、電子部品２０は、はんだ付け、導電性接着剤やワイヤボンディングなどにより、配線基板４０と電気的に接続されている。
【００５１】
それによって、電子部品２０は、ケース１０と放熱フィン３０によって区画形成された空間に収納されるとともに、電子部品２０や配線基板４０にて発生する熱は、放熱フィン３０から外部へと放熱されるようになっている。
【００５２】
ここで、ケース１０は、たとえばＰＰＳ（ポリプロピレンサルファイド）やＰＢＴ（ポリブチレンテレフタレート）などの樹脂材料などを成型することにより作られたものである。また、放熱フィン３０は、アルミニウムや銅などの放熱性に優れた材料などからなるものである。
【００５３】
また、電子部品２０としては、ＩＣチップ、モールドＩＣパッケージ、パワー素子などの発熱素子、抵抗あるいはコンデンサなどの実装部品を採用することができる。また、配線基板４０としては、プリント配線基板やセラミック配線基板などを採用することができる。
【００５４】
また、ケース１０には、外部との電気的な接続を行うためのコネクタ部１１が設けられている。このコネクタ部１１は、外部の配線部材などと接続可能な図示しないピンを有するものである。なお、このピンは、ケース１０を構成する材料を用いてインサート成形などを行うことにより、ケース１０に一体に固定されている。
【００５５】
また、図１に示されるように、本電子装置１００においては、ケース１０の他側の開口部を覆うように、ケース１０に対して樹脂カバー５０が固定されており、この樹脂カバー５０により、ケース１０の内部が封止されている。
【００５６】
ここでは、ケース１０と樹脂カバー５０とは、エポキシ系樹脂やシリコーン系樹脂などの接着剤６０を介して接合され、固定されている。なお、ケース１０と樹脂カバー５０との固定は、接着に限定されるものではなく、締結手段など、その他の固定方法を用いるようにしてもよい。
【００５７】
この樹脂カバー５０は、たとえばＰＰＳやＰＢＴなどの樹脂材料などを成型することにより作られたものである。そして、図１、図２に示されるように、樹脂カバー５０には、当該樹脂カバーの内側と外側とを連通する、すなわちケース１０の内側と外側とを連通する通気口５１が設けられている。
【００５８】
また、樹脂カバー５０の内側には、通気口５１と連通する内側開口部５２が設けられている。そして、樹脂カバー５０の外側の部位には、この内側開口部５２を覆うように、ひさし５３が設けられており、ひさし５３とそれに対向する樹脂カバー５０の外面との隙間が通気口５１として構成されている。
【００５９】
ここでは、図２に示されるように、内側開口部５２は円形状の開口部をなしており、通気口５１は、この内側開口部５２の周辺部から外部へ延びる通路形状をなしている。そして、ケース１０の内側と外側との空気の流通は、この通気口５１および内側開口部５２を介して行われるようになっている。
【００６０】
また、本実施形態の電子装置１００においては、通気口５１からの樹脂カバー５０の内側への水の浸入、すなわち、通気口５１からのケース１０への水の浸入を防止するための撥水フィルタ７０が、樹脂カバー５０に取り付けられている。
【００６１】
この撥水フィルタ７０は、通常の撥水フィルタと同様に、たとえばポリエステルなどからなる撥水性を有するフィルタであり、空気は通すが水は通さないようになっているものである。
【００６２】
本実施形態では、図１、図２に示されるように、撥水フィルタ７０は、内側開口部５２を覆うように、樹脂カバー５０の内側から樹脂カバー５０に対向して配置されている。ここでは、撥水フィルタ７０の平面形状は、内側開口部５２の開口形状に対応した円形状であり、内側開口部５２よりも一回り大きい円形をなしている。
【００６３】
そして、この撥水フィルタ７０における樹脂カバー５０との対向面７１のうち外周部のみに不織布８０が取り付けられており、撥水フィルタ７０の外周部と樹脂カバー５０の内側開口部５２における開口縁部５２ａとが不織布８０を介して溶着されている。この不織布８０は、上記特許文献１に記載されているようなものにできる。
【００６４】
ここでは、不織布８０は、撥水フィルタ７０の対向面７１における外周部において、連続した環状に配置されている。本例では、円形状の撥水フィルタ７０に合わせて不織布８０は連続した円環形状となっている。これら不織布８０と撥水フィルタ７０とは接着剤などを介して貼り付けられている。
【００６５】
また、撥水フィルタ７０の溶着は、内側通気口５２を覆うように樹脂カバー５０の内側に不織布８０を介して撥水フィルタ７０を配設し、この状態で、熱溶着あるいは超音波溶着を行うことにより行われている。
【００６６】
上述したように、不織布８０を介して撥水フィルタ７０と樹脂カバー５０を溶着することにより、溶着した樹脂カバー５０が不織布８０に溶け込み、それにより、撥水フィルタ７０の接合強度が十分に確保される。
【００６７】
このような電子装置１００は、たとえば、次のようにして製造することができる。ケース１０に放熱フィン３０を固定するとともに、ケース１０内に、電子部品２０が実装された配線基板４０を収納し固定する。
【００６８】
一方で、樹脂カバー５０に不織布８０を介して撥水フィルタ７０を溶着する。そして、この樹脂カバー５０とケース１０とを接着剤６０を介して接合する、こうして、本実施形態の電子装置１００ができあがる。
【００６９】
そして、この電子装置１００は、上述したように、自動車のエンジンルームなどに取り付けられ搭載されるが、ここにおいて、図１に示されるように、本電子装置１００は、樹脂カバー５０の通気口５１が天地方向における地方向へ向いた状態で、搭載されて使用されるものとなっている。
【００７０】
このような電子装置１００においては、ケース１０の内側と外側との空気の流通は、この通気口５１、内側開口部５２および通気性を有する撥水フィルタ７０を介して行われるが、ケース１０の外部からの水が、通気口５１、内側開口部５２を浸入してきても、撥水フィルタ７０によって、それ以上の浸入を阻止される。
【００７１】
そのため、樹脂カバー５０の内部の環境すなわちケース１０の内部の環境が、高温多湿等の悪環境にならず、また、ケース１０の内部の電子部品２０などを水の浸入から保護することができるようになっている。
【００７２】
ところで、本実施形態によれば、電子装置１００において、内側と外側とを連通する通気口５１を有する樹脂カバー５０に撥水フィルタ７０を取り付け、通気口５１からの樹脂カバー５０の内側への水の浸入を撥水フィルタ７０によって防止するようにした撥水フィルタの取付構造が提供される。
【００７３】
また、本実施形態によれば、電子部品２０が収納されたケース１０と、ケース１０を封止するように設けられた樹脂カバー５０と、樹脂カバー５０に設けられケース１０の内側と外側とを連通する通気口５１と、樹脂カバー５０に取り付けられ通気口５１からのケース１０への水の浸入を防止するための撥水フィルタ７０とを備える電子装置１００が提供される。
【００７４】
そして、本実施形態によれば、これらの撥水フィルタの取付構造および電子装置１００において、次のような点を特徴としたものである。
【００７５】
・樹脂カバー５０の内側には、通気口５１と連通する内側開口部５２が設けられており、撥水フィルタ７０は、内側開口部５２を覆うように、樹脂カバー５０の内側から樹脂カバー５０に対向して配置されていること。
【００７６】
・撥水フィルタ７０における樹脂カバー５０との対向面７１のうち外周部のみに不織布８０が取り付けられており、撥水フィルタ７０の外周部と樹脂カバー５０の内側開口部５２における開口縁部５２ａとが不織布８０を介して溶着されていること。
【００７７】
これらの点を特徴としている本実施形態の取付構造および電子装置１００によれば、撥水フィルタ７０における樹脂カバー５０との対向面７１すなわち溶着が行われる溶着面７１の外周部のみに不職布８０を取り付けているから、撥水フィルタ７０の通気性が増すとともにフィルタサイズを小さくすることができ、また、撥水フィルタ７０の溶着面７１も撥水性を有するものとなるため、設計の自由度が増す。
【００７８】
また、撥水フィルタ７０と樹脂カバー５０とを不職布８０を介して溶着するようにしているから、熱溶着、および、超音波溶着のどちらによっても信頼性の高い接続を行うことができる。
【００７９】
また、撥水フィルタ７０を樹脂カバー５０の内側から取り付けているため、撥水フィルタ７０における樹脂カバー５０との対向面７１を、樹脂カバー５０にて覆う構造とすることができ、撥水フィルタ７０の目詰まりを防止できる。つまり、従来のようなキャップを不要にすることができる。
【００８０】
よって、本実施形態によれば、撥水フィルタの取付構造および電子装置１００において、撥水フィルタ７０を熱溶着および超音波溶着のどちらでも溶着可能とし、かつ、部品点数の少ない構造を実現することができる。
【００８１】
また、本実施形態では、撥水フィルタの取付構造および電子装置１００において、樹脂カバー５０の外側の部位には、内側開口部５２を覆うように、ひさし５３が設けられており、ひさし５３とそれに対向する樹脂カバー５０の外面との隙間が通気口５１として構成されていることも特徴のひとつである。
【００８２】
それによれば、撥水フィルタ７０における樹脂カバー５０との対向面７１を樹脂カバー５０にて覆う構造として、具体的な構造を提供することができ、上記した従来のようなキャップを不要にすることができる。
【００８３】
また、本実施形態では、撥水フィルタの取付構造および電子装置１００において、樹脂カバー５０の通気口５１が天地方向における地方向へ向いた状態となっていることも特徴のひとつである。
【００８４】
それによれば、水が重力に逆らって樹脂カバー５０の通気口５１から浸入しにくくなるため、撥水フィルタ７０が被水しにくいものとすることができ、また、通気口５１に浸入した水も通気口５１から抜けやすくでき、好ましい。
【００８５】
さらに、本実施形態では、撥水フィルタの取付構造および電子装置１００において、不織布８０は、撥水フィルタ７０における樹脂カバー５０との対向面７１の外周部において、連続した環状に配置されたものになっていることも特徴のひとつである。
【００８６】
それによれば、撥水フィルタ７０を熱溶着および超音波溶着のどちらで溶着した場合でも、撥水フィルタ７０の接合強度（密着強度）を十分に確保するという効果を適切に発揮することができる。
【００８７】
以上述べてきたように、本実施形態によれば、撥水フィルタの小型化と有効利用が図れるとともに、製造上の制約および部品点数の少数化を図ることができ、加工性および耐水性に優れ低コストで高い信頼性を有する撥水フィルタの取付構造および撥水フィルタを備えた電子装置１００を提供することができる。
【００８８】
（他の実施形態）
なお、上記図２に示される例では、樹脂カバー５０の内側開口部５２は、円形状の開口形状を有するものであったが、それ以外にも、内側開口部５２の開口形状としては、たとえば四角形、三角形などとすることができ、特に限定されるものではない。また、撥水フィルタ７０の平面形状は、内側開口部５２の開口形状に対応したものとすることはもちろんである。
【００８９】
また、上記実施形態では、樹脂カバー５０の通気口５１を、樹脂カバー５０に設けたひさし５３により構成したが、通気口の形状は、図示例に限定されるものではない。たとえば、水の浸入をより抑制するために迷路形状としてもよい。
【００９０】
また、上記実施形態では、電子装置１００は、放熱フィン３０を有するものであったが、不要であれば、放熱フィンはないものであってもよい。
【００９１】
また、上記実施形態では、電子装置１００において、ケース１０の内部に収納される電子部品２０は配線基板４０に実装された状態であったが、ケースに収納される電子部品の形態は、これに限定されるものではない。さらには、ケースには電子部品以外のものが収納されていてもよい。
【００９２】
また、本発明の撥水フィルタの取付構造は、上記した樹脂カバー５０に代表されるものであるが、この樹脂カバー５０は、電子装置におけるケースのカバーとして用いられるものに限定されるものではなく、防水の必要な部材を被覆する樹脂カバーとしてならば、それ以外のものに対しても適用してよい。
【００９３】
要するに、本発明は、通気口を有する樹脂カバーに防水用の撥水フィルタを取り付けてなる撥水フィルタの取付構造、または、そのような撥水フィルタが取り付けられた樹脂カバーによって電子部品を収納するケースを封止してなる撥水フィルタを備えた電子装置において、樹脂カバーの内側に通気口と連通する内側開口部を設け、内側開口部を覆うように撥水フィルタを樹脂カバーの内側に対向して配置し、さらに、撥水フィルタにおける樹脂カバーとの対向面のうち外周部のみに不織布を取り付け、撥水フィルタの外周部と樹脂カバーの内側開口部における開口縁部とを不織布を介して溶着したことを要部とするものであり、その他の部分については、適宜設計変更が可能である。
【図面の簡単な説明】
【００９４】
【図１】本発明の実施形態に係る撥水フィルタを備えた電子装置の概略断面図である
【図２】図１における樹脂ケースの一部の左視概略平面図である。
【図３】従来の一般的な撥水フィルタの取付構造を示す概略断面図である。
【符号の説明】
【００９５】
１０…ケース、２０…電子部品、５０…樹脂カバー、
５１…樹脂カバーの通気口、５２…樹脂カバーの内側開口部、
５２ａ…内側開口部における開口縁部、５３…樹脂カバーのひさし、
７０…撥水フィルタ、７１…撥水フィルタにおける樹脂カバーとの対向面、
８０…不織布。
【図１】
2006196596.tif 000003
【図２】
2006196596.tif 000004
【図３】
2006196596.tif 000005